(57)【特許請求の範囲】
【請求項１】
窓ガラス（２４）の内面に防曇性皮膜（２４ａ）を有する車両に配設される車両用空調装置であり、
内気導入口（２、３）と外気導入口（４）とを開閉して内気と外気との吸い込みを切り替える内外気切替手段（５、６）と、
前記内気導入口（２、３）および前記外気導入口（４）を通して導入される空気を車室内へ向かって送風する送風手段（７）と、
前記送風手段（７）の送風空気を冷却する冷房用熱交換器（１２）と、
前記送風手段（７）の送風空気を加熱する暖房用熱交換器（１３）と、
前記冷房用熱交換器（１２）および前記暖房用熱交換器（１３）を通過して温度調整された空気を、前記窓ガラス（２４）の内面に向かって空気を吹き出すデフロスタ吹出口（１５）および車室内のその他の部位に吹き出す吹出口（１７、２２）を有する複数の吹出口（１５、１７、２２）と、
前記複数の吹出口（１５、１７、２２）を開閉して吹出モードを切り替える吹出モード切替手段（１６、１８、２３）と、
前記内外気切替手段（５、６）による内外気切替制御、および前記吹出モード切替手段（１６、１８、２３）による吹出モード切替制御を実行する空調制御手段（２７）とを備えた車両用空調装置において、
外気の温度を検出する外気温検出手段を備え、
前記空調制御手段（２７）は、前記外気温検出手段で検出される外気の温度が所定温度以下の場合、通常の空調制御に加え、部分的もしくは一時的に外気を導入して車室内に吹き出させて前記窓ガラス（２４）に施されている前記防曇性皮膜（２４ａ）を乾燥再生させる防曇ガラス再生制御を行い、
前記空調制御手段（２７）は前記防曇ガラス再生制御として、前記車両が走行用エンジンをＯＮした停車状態であり、且つ車室内に乗員がいない場合、外気導入にて前記デフロスタ吹出口（１５）からの吹き出しを所定時間行うことを特徴とする車両用空調装置。
【請求項２】
前記空調制御手段（２７）は、前記防曇ガラス再生制御中に前記車室内で乗員が検出された場合、通常の空調制御における吸込モードおよび吹出モードに戻すことを特徴とする請求項１に記載の車両用空調装置。
【請求項３】
前記窓ガラス（２４）の内面に配置されて前記窓ガラス（２４）の表面相対湿度（ＲＨｗ）を算出する湿度検出手段（２５）備え、
前記所定時間行う外気導入且つデフロスタ吹き出しでの防曇性皮膜の乾燥再生も、前記窓ガラスの表面相対湿度に応じて作動時間が可変することを特徴とする請求項１または請求項２に記載の車両用空調装置。
【発明の詳細な説明】
【技術分野】
【０００１】
本発明は、窓ガラスの内面に防曇性皮膜を有する車両に配設される車両用空調装置に関するものであり、特に、防曇性皮膜を乾燥再生させる防曇ガラス再生制御に関するものである。
【背景技術】
【０００２】
近年、二酸化炭素の排出規制を受けて、車両にはよりいっそうの低燃費が求められている。一方、ハイブリッド化などの低燃費技術により、車両走行用エンジンの排熱量が減り、寒冷時の暖房熱源不足が懸念されている。寒冷時に熱源不足となる一因として、従来は窓曇り防止のために外気導入を基本としていることがある。
【０００３】
これに対して、下記の特許文献１では、湿度検出装置を用いて窓曇りを判定し、曇らない範囲で内気化することで換気による熱損失を低減して熱源不足を補うようにした空調制御方法が示されている。また、ガラスにおいては、下記の特許文献２および３に示されているように、ガラスの表面に防曇性能を維持する皮膜を形成した防曇ガラスがある。
【特許文献１】特開２００６−２５６４９６号公報
【特許文献２】特開２００１−１４６５８５号公報
【特許文献３】特開２００３−２３１８２７号公報
【発明の開示】
【発明が解決しようとする課題】
【０００４】
しかしながら、上記した空調制御方法では、湿度検出装置のばらつきを考慮しつつ、湿度検出装置が配設されている近傍の窓ガラス部分だけではなく、他の場所の曇り易い窓ガラス部分までを曇らないように安全率を大きくとると、充分に内気化することができず、低燃費効果を上げられないという問題点がある。
【０００５】
また、上記した防曇ガラスは、ある程度は防曇状態を維持することが可能であるが、限界水分量を超えてしまうと飽和して窓曇りが発生してしまうため、その吸収した水分を乾燥させて防曇性能を再生させることが必要となる。しかし、熱線でガラスを暖めるとなると大電力が必要となり、空調装置の温風をデフロスタから吹き出して暖めるとなると乗員の顔火照りが発生するだけでなく、熱源が足りなくなってしまい、快適感や低燃費を損ねることとなる。
【０００６】
そこで本発明は、このような従来技術に存在する問題点に着目して成されたものであり、その第１の目的は、窓ガラスの内面に防曇性皮膜を有する車両において、寒冷時には換気による熱損失低減のための内気化を維持しつつ、防曇性皮膜を乾燥再生させることのできる車両用空調装置を提供することにある。
【０００７】
また、第２の目的は、窓ガラスの内面に防曇性皮膜を有する車両において、寒冷時の駐停車を利用するなどして防曇性皮膜を乾燥再生させておくことで、走行時の換気熱損失低減のための内気化率を高めることのできる車両用空調装置を提供することにある。
【課題を解決するための手段】
【０００８】
本発明は上記目的を達成するために、下記の技術的手段を採用する。すなわち、請求項１に記載の発明では、窓ガラス（２４）の内面に防曇性皮膜（２４ａ）を有する車両に配設される車両用空調装置であり、内気導入口（２、３）と外気導入口（４）とを開閉して内気と外気との吸い込みを切り替える内外気切替手段（５、６）と、内気導入口（２、３）および外気導入口（４）を通して導入される空気を車室内へ向かって送風する送風手段（７）と、送風手段（７）の送風空気を冷却する冷房用熱交換器（１２）と、送風手段（７）の送風空気を加熱する暖房用熱交換器（１３）と、冷房用熱交換器（１２）および暖房用熱交換器（１３）を通過して温度調整された空気を、前記窓ガラス（２４）の内面に向かって空気を吹き出すデフロスタ吹出口（１５）および車室内のその他の部位に吹き出す吹出口（１７、２２）を有する複数の吹出口（１５、１７、２２）と、複数の吹出口（１５、１７、２２）を開閉して吹出モードを切り替える吹出モード切替手段（１６、１８、２３）と、内外気切替手段（５、６）による内外気切替制御、および吹出モード切替手段（１６、１８、２３）による吹出モード切替制御を実行する空調制御手段（２７）とを備えた車両用空調装置において、
外気の温度を検出する外気温検出手段を備え、空調制御手段（２７）は、外気温検出手段で検出される外気の温度が所定温度以下の場合、通常の空調制御に加え、部分的もしくは一時的に外気を導入して車室内に吹き出させて窓ガラス（２４）に施されている防曇性皮膜（２４ａ）を乾燥再生させる防曇ガラス再生制御を行い、空調制御手段（２７）は防曇ガラス再生制御として、車両が走行用エンジンをＯＮした停車状態であり、且つ車室内に乗員がいない場合、外気導入にてデフロスタ吹出口（１５）からの吹き出しを所定時間行うことを特徴としている。
【０００９】
この請求項１に記載の発明によれば、寒冷時においては換気による熱損失低減のために内気循環を行いつつ、部分的に外気を導入して防曇性皮膜（２４ａ）を乾燥再生させることで、防曇状態を維持しながら内気化率を高めることができる。また、寒冷時の停車を利用して一時的に外気を導入し、防曇性皮膜（２４ａ）を乾燥再生させておくことで、走行時の換気熱損失低減のための内気化率を高めることができる。
【００２４】
また、請求項１に記載の発明では、空調制御手段（２７）は防曇ガラス再生制御として、車両が走行用エンジンをＯＮした停車状態であり、且つ車室内に乗員が居ない場合、外気導入にてデフロスタ吹出口（１５）からの吹き出しを所定時間行うことを特徴としている。この発明によれば、寒冷時の停車を利用して、車室内に乗員が居ないときに一時的に外気を導入し、防曇性皮膜（２４ａ）を乾燥再生させておくことで、走行時の換気熱損失低減のための内気化率を高めることができる。
【００２５】
また、請求項２に記載の発明では、空調制御手段（２７）は、防曇ガラス再生制御中に車室内で乗員が検出された場合、通常の空調制御における吸込モードおよび吹出モードに戻すことを特徴としている。この発明によれば、車室内に乗員が戻ってきた場合、乗員の快適感を損ねたり、設定とは異なる空調状態で不信感を与えたりしないために、通常の空調状態に戻すものである。
請求項３に記載の発明では、窓ガラス（２４）の内面に配置されて窓ガラス（２４）の表面相対湿度（ＲＨｗ）を算出する湿度検出手段（２５）備え、所定時間行う外気導入且つデフロスタ吹き出しでの防曇性皮膜の乾燥再生も、窓ガラスの表面相対湿度に応じて作動時間が可変することを特徴とする。
なお、特許請求の範囲および上記各手段に記載の括弧内の符号は、後述する実施形態に記載の具体的手段との対応関係を示す一例である。
【発明を実施するための最良の形態】
【００２６】
（第１の基礎的形態）
以下、第１の基礎的形態について図１〜４を用いて詳細に説明する。図１は、第１の基礎的形態における車両用空調装置の概略構成を示す断面模式図であり、内気吸込（内気循環）モード＆フットデフロスタ吹出モードの状態を示す。本基礎的形態は、例えば、ディーゼルエンジン車やハイブリッド車のように、エンジン冷却水（温水）の温度が比較的上がりにくい低熱源車に適用して有効である。
【００２７】
空調装置の通風系は、大別して、送風機ユニット１と空調ユニット１０の２つの部分に分かれている。空調ユニット１０部は、通常、車室内前方の図示しないインストルメントパネル内奥部のうち、車両左右方向の略中央部に配置されるものであり、車両の上下前後方向に対して図示の矢印に示す関係で搭載されている。
【００２８】
一方、送風機ユニット１は、通常、車室内において空調ユニット１０の側方（助手席側）にオフセットして配置されている。なお、図１では、図作成上の理由から、空調ユニット１０の車両前方側に送風機ユニット１を配置する状態を図示している。まず、送風機ユニット１部を具体的に説明すると、送風機ユニット１の上下両側に、内気（車室内空気）を導入する第１、第２の２つの内気導入口２、３が備えられている。
【００２９】
この両内気導入口２、３の中間部位に外気（車室外空気）を導入する１つの外気導入口４が備えられている。そして、外気導入口４からの外気が流入する第１外気口４ａと、第１内気導入口２との間を第１内外気切替ドア５により切替開閉し、第２外気口４ｂと第２内気導入口３との間を第２内外気切替ドア６により切替開閉するようになっている。
【００３０】
この第１、第２内外気切替ドア５、６は、回動軸５ａ、６ａを中心として回動操作される板状のドアである。本基礎的形態では、第１、第２内気導入口２、３と、外気導入口４と、第１、第２外気口４ａ、４ｂと、第１、第２内外気切替ドア５、６とにより内外気切替手段が構成されている。
【００３１】
そして、上記導入口２、３、４からの導入空気を車室内へ向かって送風する送風機（送風手段）７は、本基礎的形態では上側の第１ファン７ａおよび下側の第２ファン７ｂが、送風機ユニット１のケース１ａ内に配置されている。この両ファン７ａ、７ｂは、周知の遠心多翼ファン（シロッコファン）からなるものであり、１つの共通の電動モータ７ｃにて一体に回転駆動される。また、両ファン７ａ、７ｂは、スクロールケース７ｄ内に収納されている。
【００３２】
図１は、内気吸込（全内気循環）モードの状態を示しており、第１内外気切替ドア５は第１内気導入口２を解放して外気導入口４の第１外気口４ａを閉塞しているので、第１ファン７ａの吸入口７ｅには内気が吸入される。また、同様に、第２内外気切替ドア６は第２内気導入口３を開放して第２外気口４ｂを閉塞しているので、第２ファン７ｂの吸入口７ｆにも内気が吸入される。
【００３３】
図１の図示状態では、第１ファン７ａは、第１内気導入口２からの内気を、本基礎的形態では上側の第１空気通路８に送風するようになっており、第２ファン７ｂは、第２内気導入口３からの内気を下側の第２空気通路９に送風するようになっている。なお、第１、第２空気通路８、９は、第１ファン７ａと第２ファン７ｂとの間から下流側にわたって配置された仕切り部材１１によって仕切られている。
【００３４】
次に、空調ユニット１０部は、樹脂製の空調ケース１０ａ内に、蒸発器１２とヒータコア１３とを、両方とも一体的に内蔵するタイプのものである。空調ケース１０ａ内においても、空気通路は仕切り板１１によって上側の第１空気通路８と下側の第２空気通路９とに仕切られている。
【００３５】
空調ケース１０ａ内において、車両前方側の部位に蒸発器１２が空調ケース１０ａ内の第１、第２空気通路８、９の全域を横切るように配置されている。この蒸発器１２は周知の如く、図示しない冷凍サイクルの冷媒の蒸発潜熱を空調用空気から吸熱して、空調用空気を冷却する冷房用熱交換器である。
【００３６】
ヒータコア１３は、蒸発器１２の空気流れ下流側（車両後方側）に、所定の間隔を開けて隣接配置されている。このヒータコア１３は、蒸発器１２を通過した冷風を再加熱する暖房用熱交換器であり、その内部に高温のエンジン冷却水（温水）が流れ、この温水を熱源として空気を加熱するものである。
【００３７】
また、蒸発器１２とヒータコア１３との間には、エアミックスドア１４が配置されている。このエアミックスドア１４は、１本の回動軸１４ｃに基板部１４ａ、１４ｂが一体形成され、この１本の回動軸１４ｃを中心として、一体に回動可能になっている。そして、このエアミックスドア１４の回動により、第１、第２空気通路８、９において、それぞれ、ヒータコア１３を通過する温風と、ヒータコア１３をバイパスする冷風との風量割合が調整され、車室内への吹出空気温度が調整される。
【００３８】
すなわち、本基礎的形態では、エアミックスドア１４により車室内への吹出空気の温度調整手段を構成している。そして、ヒータコア１３の空気下流側（車両後方側）の部位には、吹出モード切替部が構成されている。この吹出モード切替部を具体的に説明すると、空調ケース１０ａの上面部には、ヒータコア１３直後の第１空気通路８に連通するデフロスタ開口部（本発明で言う吹出口）１５が開口している。
【００３９】
このデフロスタ開口部１５は、図示しないデフロスタダクトおよびデフロスタ吹出口を介して、車両のフロントガラス（窓ガラス）２４の内面に向けて風を吹き出すためのものである。このデフロスタ開口部１５は、デフロスタドア１６により開閉される。このデフロスタドア１６は、回動軸１６ａにより回動自在な板状ドアからなっている。
【００４０】
空調ケース１０ａの最も車両後方側（乗員寄り）の部位には、第１空気通路８と直接連通するフェイス開口部（本発明で言う吹出口）１７が開口している。このフェイス開口部１７は、図示しないフェイスダクトを介してインストルメントパネル上方の幅方向中央部と両端に設けられたフェイス吹出口より、前席乗員の頭胸部に向けて風を吹き出すためのものである。
【００４１】
このフェイス開口部１７は、フェイスドア１８により開閉される。このフェイスドア１８は、回動軸１８ａにより回動自在な板状ドアからなっている。また、ヒータコア１３の空気下流側部位には、第１空気通路８と第２空気通路９の相互の間を連通する連通路２０が設けられており、この連通路２０は連通ドア２１により開閉される。
【００４２】
この連通ドア２１は、回動軸２１ａによって回動自在な板状ドアであり、図１に示す連通路２０の閉塞位置にあるときは、連通ドア２１が第１、第２空気通路８、９の仕切り部材の役割を果たす。また、空調ケース１０ａの車両後方側の下方部位には、フット開口部（本発明で言う吹出口）２２が開口している。
【００４３】
このフット開口部２２は、第２空気通路９においてヒータコア１３の空気下流側の部位に連通している。このフット開口部２２は図示しないフットダクトを介してフット吹出口から車室内の前席乗員足元に温風を吹き出すためのものである。このフット開口部２２は、フットドア２３により開閉される。このフットドア２３は、回動軸２３ａにより回動自在な板状ドアからなっている。
【００４４】
なお、本基礎的形態では、デフロスタドア１６、フェイスドア１８およびフットドア２３により吹出モード切替手段を構成している。空調制御装置（本発明で言う空調制御手段）２７は、ＣＰＵ、ＲＯＭ、ＲＡＭなどを含む周知のマイクロコンピュータと、その周辺回路とから構成されている。この空調制御装置２７は、そのＲＯＭ内に空調制御のための制御プログラムを記憶しており、その制御プログラムに基づいて各種演算、処理を行う。
【００４５】
そして、空調制御装置２７には、後述する湿度検出装置（本発明で言う湿度検出手段）２５、もしくは曇り検出装置（本発明で言う曇り検出手段）２６の検出値が入力される他に、周知の空調用センサ群からの検出信号、および図示しない空調操作パネルからの各種操作信号が入力される。
【００４６】
湿度検出装置２５の具体的な構造概要については、説明を省略するが、内部に相対湿度検出手段、空気温度検出手段、およびガラス温度検出手段を備え、これらの検出結果からフロントガラス２４内面の表面相対湿度（ＲＨｗ）を算出することができる。そして、本基礎的形態では、この湿度検出装置２５を、フロントガラス２４内側の図示しないルームミラーの陰となる部分などに配設している。
【００４７】
また、詳細な説明は省略するが、本基礎的形態の特徴的な構成としてフロントガラス２４は、内面に防曇性皮膜２４ａを施した防曇ガラスとなっている。この防曇ガラスは、通常のガラスの表面に防曇性皮膜２４ａを積層したもので有り、例えばセラミックコート内部に水分を吸収することで、ある程度窓曇りを防止する機能がある。但し、この防曇ガラスは、所定量水分を吸収すると飽和し、曇りが発生してしまう。また、セラミックコート部が吸収している水分量により、いつ曇りだすか分からないものである。
【００４８】
次に、上記構成における本基礎的形態の作動を説明する。最初に、空調装置の作動の概要を説明する。送風機７を作動させることにより、第１、第２内気導入口２、３または外気導入口４より導入された空気が、ケース１０ａ内を車室内に向かって送風される。また、図示しない電磁クラッチに通電して電磁クラッチを接続状態とし、図示しない圧縮機を車両走行用エンジンにて駆動することにより、冷凍サイクル装置内を冷媒が循環する。
【００４９】
送風機７の送風空気は、まず蒸発器１２を通過して冷却、除湿され、この冷風は次にエアミックスドア１４の回動位置（開度）に応じてヒータコア１３を通過して加熱され温風になる流れと、バイパス通路を通過する冷風の流れとに分けられる。従って、エアミックスドア１４の開度によって、ヒータコア１３を通る空気量（温風量）と、バイパス通路を通過する空気量（冷風量）との割合を調整することにより、車室内に吹き出す空気の温度が調整される。
【００５０】
そして、この温度調整された空調風が、ケース１０ａの空気通路の最下流部に位置するデフロスタ開口部１５、フェイス開口部１７およびフット開口部２２のうち、いずれか１つまたは複数の開口部から吹出口を介して車室内へ吹き出し、車室内の空調および車両のフロントガラス２４の曇り止めを行うようになっている。
【００５１】
図２は、第１の基礎的形態における内外気モードの切替を説明するタイムチャートである。乗員の乗り込み時（図２中の状態０）において、図示しない外気温センサ（外気温検出手段）の検出温度が所定温度（例えば２０℃）以下で、暖房が必要で窓曇りが発生しうる環境条件の場合、空調装置は換気による熱損失を低減して少燃費とするため、吸込モードを完全内気循環モードにして空調を開始する。
【００５２】
そして、走行するにつれ、乗員の加湿やフロントガラス２４の温度低下により、ガラス内面の表面相対湿度ＲＨｗが上昇する。なお、表面相対湿度ＲＨｗ＝１００％の状態で窓曇りが発生する。そこで、空調制御装置２７は、部分的もしくは一時的に外気を導入して車室内に吹き出させ、フロントガラス２４に施されている防曇性皮膜２４ａを乾燥再生させる防曇ガラス再生制御を行うようにしている。
【００５３】
具体的には、図２に示すように、フロントガラス２４が曇り始める前の表面相対湿度ＲＨｗ（例えば９０％）を第１湿度閾値ＲＨ１に設定し、湿度検出装置２５が算出する表面相対湿度ＲＨｗが、第１湿度閾値ＲＨ１未満の間は内気循環とし、湿度検出装置２５が算出する表面相対湿度ＲＨｗが第１湿度閾値ＲＨ１に達した場合（図２中の状態１）は一部外気導入とするようにしている。
【００５４】
図３は、図１の車両用空調装置における２層吸込（一部外気導入）モード＆フットデフロスタ吹出モードの状態を示す。第１内外気切替ドア５は、第１内気導入口２を閉塞して外気導入口４の第１外気口４ａを開放しているので、第１ファン７ａの吸入口７ｅには外気が吸入される。これに対して第２内外気切替ドア６は、第２内気導入口３を開放して第２外気口４ｂを閉塞しているので、第２ファン７ｂの吸入口７ｆには内気が吸入される。
【００５５】
図３の図示状態において、第１ファン７ａは、外気導入口４からの外気を第１空気通路８に送風し、デフロスタ開口部１５からフロントガラス２４内面に吹き出し、防曇性皮膜２４ａを外気で乾燥再生させることとなる。また、第２ファン７ｂは、第２内気導入口３からの内気を第２空気通路９に送風し、フット開口部２２から足元暖房するようになっている。
【００５６】
これにより、湿度検出装置２５が算出する表面相対湿度ＲＨｗが下がり、第１湿度閾値ＲＨ１よりも低い所定の第２湿度閾値（例えば７０％）まで下がった場合（図２中の状態２）、再び内気循環および通常の空調制御における吹出モードに戻すようにしている。以後、走行中は上記の作動を繰り返すこととなる。
【００５７】
そして、最後に車両の走行が終了して駐車のために車両走行用のエンジンがＯＦＦされた場合（図２中の状態３）、空調制御装置２７は最後の防曇ガラス再生制御として、完全外気導入モードにてデフロスタ開口部１５からの吹き出しを所定時間（例えば１分）行うようにしている。これは、次の乗車時のために防曇機能を再生しておくものである（図２中の状態４）。
【００５８】
図４は、図１の車両用空調装置における外気吸込モード＆デフロスタ吹出モードの状態を示す。第１内外気切替ドア５は、第１内気導入口２を閉塞して外気導入口４の第１外気口４ａを開放しているので、第１ファン７ａの吸入口７ｅには外気が吸入される。また、第２内外気切替ドア６も、第２内気導入口３を閉塞して第２外気口４ｂを開放しているので、第２ファン７ｂの吸入口７ｆにも外気が吸入される。
【００５９】
図４の図示状態において、第１ファン７ａは、外気導入口４からの外気を第１空気通路８に送風し、デフロスタ開口部１５からフロントガラス２４内面に吹き出す。また、第２ファン７ｂも、外気導入口４からの外気を第２空気通路９に送風し、フット開口部２２を閉塞して連通路２０を開放しているため、第２空気通路９の空気もデフロスタ開口部１５からフロントガラス２４内面に吹き出す。これにより、防曇性皮膜２４ａが全外気で乾燥再生させることとなる。但し、バッテリー容量に余裕がない場合は、この最後の防曇ガラス再生制御を行わないようにしても良い。
【００６０】
次に、本基礎的形態での特徴と、その効果について述べる。まず、外気の温度を検出する外気温センサを備え、空調制御装置２７は、外気温センサで検出される外気の温度が所定温度以下の場合、通常の空調制御に加え、部分的もしくは一時的に外気を導入して車室内に吹き出させてフロントガラス２４に施されている防曇性皮膜２４ａを乾燥再生させる防曇ガラス再生制御を行うようにしている。
【００６１】
これによれば、寒冷時において換気による熱損失低減のために内気循環を行いつつ、部分的に外気を導入して防曇性皮膜２４ａを乾燥再生させることで、防曇状態を維持しながら内気化率を高めることができる。また、寒冷時の駐停車を利用するなどして一時的に外気を導入し、防曇性皮膜２４ａを乾燥再生させておくことで、走行時の換気熱損失低減のための内気化率を高めることができる。
【００６２】
これは、防曇ガラスだけでは、機能上いつかは曇るため外気にせざるを得ないこと、また、車両用空調装置による内外気２層導入という方法のみでも一定量しか内気化することができない。そこで本基礎的形態は、走行中は最大限内気循環として熱損失を防止し、且つ曇りそうな状況となった場合は部分的もしくは一時的に外気導入とすることにより、熱損失を防ぎながら防曇性皮膜２４ａの乾燥再生を行うこととなる。これにより、常に防曇状態を維持しつつ、低燃費で暖房性能を確保することができる。
【００６３】
また、フロントガラス２４の内面に配置されてフロントガラス２４の表面相対湿度ＲＨｗを算出する湿度検出装置２５備え、空調制御装置２７は防曇ガラス再生制御として、湿度検出装置２５が算出する表面相対湿度ＲＨｗが、所定の第１湿度閾値ＲＨ１未満の間は内気循環とし、湿度検出装置２５が算出する表面相対湿度ＲＨｗが第１湿度閾値ＲＨ１に達した場合は一部外気導入とするようにしている。
【００６４】
これによれば、フロントガラス２４が曇り始める前の表面相対湿度ＲＨｗを第１湿度閾値ＲＨ１に設定し、第１湿度閾値ＲＨ１未満の間は内気循環、第１湿度閾値ＲＨ１に達したら一部外気導入として防曇性皮膜２４ａを乾燥再生させることにより、常に防曇状態を維持しつつ、内気化率を高めることができる。
【００６５】
また、一部外気導入時、導入した外気はデフロスタ開口部１５から吹き出され、循環する内気はデフロスタ開口部１５以外の開口部１７、２２から吹き出されるようにしている。これによれば、導入した外気を内気に混入させて車室内に吹き出すことでも車室内全体の湿度が低下して、防曇性皮膜２４ａを乾燥再生させることが可能であるが、導入した外気をデフロスタ開口部１５からフロントガラス２４に向けて吹き出す方が、内面の防曇性皮膜２４ａを効率良く乾燥再生させることができる。また、例えばフット開口部２２から行われる暖房も、内気循環だけで効率良く行うことができる。
【００６６】
また、空調制御装置２７は、一部外気導入に移行した後、表面相対湿度ＲＨｗが、第１湿度閾値ＲＨ１よりも低い所定の第２湿度閾値ＲＨ２まで下がった場合、再び内気循環および通常の空調制御における吹出モードに戻すようにしている。これによれば、第２湿度閾値ＲＨ２まで表面相対湿度ＲＨｗが下がったことで、防曇性皮膜２４ａが再生されたと判断して、内気循環による低燃費空調に戻すことができる。
【００６７】
また、湿度検出装置２５は、相対湿度検出手段、空気温度検出手段、およびガラス温度検出手段を備え、これらの検出結果から表面相対湿度ＲＨｗを算出するものとしている。これによれば、フロントガラス２４が曇り始める前の表面相対湿度ＲＨｗ状態を検出することができる。
【００６８】
また、空調制御装置２７は防曇ガラス再生制御として、車両の走行が終了して車両走行用のエンジンがＯＦＦされた後、外気導入にてデフロスタ開口部１５からの吹き出しを所定時間行うようにしている。これによれば、寒冷時に駐車したことを利用して一時的に外気を導入し、防曇性皮膜２４ａを乾燥再生させておくことで、走行時の換気熱損失低減のための内気化率を高めることができる。
【００６９】
（第２の基礎的形態）
次に、第２の基礎的形態について説明する。図５は、第２の基礎的形態における内外気モードの切替を説明するタイムチャートである。なお、以降の基礎的および実施形態においては、上述した第１の基礎的形態と同一の構成要素には同一の符号を付して説明を省略し、異なる構成および特徴について説明する。
【００７０】
本基礎的形態は、上述した湿度検出装置２５の代わりに、フロントガラス２４の内面に配置されてフロントガラス２４表面の曇りを検出する曇り検出装置２６備え（図１参照）、空調制御装置２７は防曇ガラス再生制御として、曇り検出装置２６が検出する曇り程度が所定の第１曇り閾値Ｌ１未満の間は内気導入とし、曇り検出装置２６が検出する曇り程度が第１曇り閾値Ｌ１に達した場合は一部外気導入とするようにしている。
【００７１】
これによれば、フロントガラス２４が許容できる程度の曇り程度を第１曇り閾値Ｌ１に設定し、第１曇り閾値Ｌ１未満の間は内気循環、第１曇り閾値Ｌ１に達したら一部外気導入として防曇性皮膜２４ａを乾燥再生させることにより、常に防曇状態を維持しつつ、さらに内気化率を高めることができる。
【００７２】
また、空調制御装置２７は、一部外気導入に移行した後、曇り程度が、第１曇り閾値Ｌ１よりも低い所定の第２曇り閾値Ｌ２まで下がった場合、再び内気循環および通常の空調制御における吹出モードに戻すようにしている。これによれば、第２曇り閾値Ｌ２まで曇り程度が下がったことで、防曇性皮膜２４ａが再生されたと判断して、内気循環による低燃費空調に戻すことができる。
【００７３】
また、曇り検出装置２６は、発光素子と受光素子とを備え、ガラス表面での光学的な反射によって曇り程度を算出するものとしている。これによれば、フロントガラス２４が曇りそうな状態は検出できないが、許容できる程度の窓曇り状態を閾値として可能な限り内気化率を高める制御を行うのであれば、曇り検出手段のコストを抑えることができる。
【００７４】
（実施形態）
次に、本発明の実施形態について説明する。図６は、本発明の実施形態における停車中の防曇ガラス再生制御を説明するフローチャートである。車両の走行用エンジンをＯＮすると、空調制御装置２７は防曇ガラス再生制御として本フローチャートをスタートさせ、まず、外気温度が所定温度（例えば２０℃）以下か否かの判定を行う。（ステップＳ１）。
【００７５】
この判定結果がＹＥＳで、暖房が必要で窓曇りが発生しうる環境条件の場合はステップＳ２へ進み、次に車両が停車中か否かの判定を行う。この判定結果がＹＥＳで、車両が停車中である場合はステップＳ３へ進み、次に車室内に乗員が居るか否かの判定を行う。この判定には、各座席に設けられた着座センサや、車室内に設けられた人感センサなどからの信号を用いている。
【００７６】
この判定結果がＮＯで、車室内に乗員が居ない場合はステップＳ４へ進み、最後にデフロスタ開口部１５からの吹き出しを行って所定時間（例えば１分）が経過したか否かの判定を行う。この判定結果がＮＯで、デフロスタ開口部１５からの吹き出しを所定時間だけ行っていない場合はステップＳ５へ進み、外気導入にてデフロスタ開口部１５からの吹き出しを行いつつ上記の判定を繰り返すものである。
【００７７】
よって、ステップＳ１の判定結果がＮＯで外気温度が所定温度より高い場合、ステップＳ２の判定結果がＮＯで車両走行中の場合、ステップＳ３の判定結果がＹＥＳで車室内に乗員が居る場合、およびステップＳ４の判定結果がＹＥＳでデフロスタ吹き出しを行ってから所定時間が経過した場合はステップＳ６に進み、設定されている吸込、吹出モード、もしくはオート制御が設定されていればその制御に基づく状態に移行するものである。
【００７８】
このように、本実施形態において空調制御装置２７は、防曇ガラス再生制御として、車両が停車状態であり、且つ車室内に乗員が居ない場合は、外気導入にてデフロスタ開口部１５からの吹き出しを所定時間行うようにしている。これによれば、寒冷時の停車を利用して、車室内に乗員が居ないときに一時的に外気を導入し、防曇性皮膜２４ａを乾燥再生させておくことで、走行時の換気熱損失低減のための内気化率を高めることができる。
【００７９】
なお、空調制御装置２７は、防曇ガラス再生制御中に車室内で乗員が検出された場合、通常の空調制御における吸込モードおよび吹出モードに戻すようにしている。これによれば、車室内に乗員が戻ってきた場合、乗員の快適感を損ねたり、設定とは異なる空調状態で不信感を与えたりしないために、通常の空調状態に戻すものである。
【００８０】
（その他の実施形態）
本発明は上述した実施形態にのみ限定されるものではなく、次のように変形または拡張することができる。例えば、上述の第１、第２の基礎的形態では、一部外気導入に移行した後、表面相対湿度ＲＨｗが第２湿度閾値ＲＨ２まで下がった場合、もしくは曇り程度が第２曇り閾値Ｌ２まで下がった場合、再び内気循環および通常の空調制御における吹出モードに戻すようにしているが、一部外気導入を所定時間（例えば５分）行った後、再び内気導入および通常の空調制御における吹出モードに戻すようにしても良い。これによれば、制御を簡単にすることができる。
【００８１】
また、上述の第１、第２の基礎的形態では、湿度検出装置２５や曇り検出装置２６をフロントガラス２４に配設しているが、車両後方のリアガラスなどに配設しても良い。これによれば、フロントガラス２４に比べてリアガラスは窓曇りを生じ易い。このため、曇り易い窓ガラスで湿度検出、もしくは曇り検出を行うことにより、車両のどの窓ガラスも常に防曇状態が維持される空調制御とすることができる。
【００８２】
また、上述の第１、第２の基礎的形態では、フロントガラス２４の表面相対湿度ＲＨｗや曇り程度が第１閾値に達したら、内気吸込モードから半内気（半外気）の２層吸込モードに切り替えるようにしているが、例えば、表面相対湿度ＲＨｗや曇り程度が高くなるに応じて外気の導入割合が多くなるように変化するようにしても良い。さらに、駐車時や停車中に所定時間行う外気導入且つデフロスタ吹き出しでの防曇性皮膜２４ａの乾燥再生も、例えばフロントガラス２４の表面相対湿度ＲＨｗに応じて作動時間が可変するようにしても良い。
【００８３】
また、上述の実施形態では、送風機ユニット１および空調ユニット１０の空気通路を仕切り部材１１によって上側の第１空気通路８と下側の第２空気通路９とに仕切り、内外気２層流モードを設定できる車両用空調装置について説明したが、内外気２層流モードを設定しない通常の車両用空調装置、すなわち、仕切り部材１１を配置せず、空気吸込部から吹出モード切替部の入口に至るまで単一の空気通路を形成する車両用空調装置においても本発明は実施できる。なお、一部外気導入とする所定時間などは可変できるようにしても良い。
【図面の簡単な説明】
【００８４】
【図１】基礎的形態および本発明の一実施形態における車両用空調装置の概略構成を示す断面模式図であり、内気吸込モード＆フットデフロスタ吹出モードの状態を示す。
【図２】第１の基礎的形態における内外気モードの切替を説明するタイムチャートである。
【図３】図１の車両用空調装置における２層吸込モード＆フットデフロスタ吹出モードの状態を示す。
【図４】図１の車両用空調装置における外気吸込モード＆デフロスタ吹出モードの状態を示す。
【図５】第２の基礎的形態における内外気モードの切替を説明するタイムチャートである。
【図６】本発明の実施形態における停車中の防曇ガラス再生制御を説明するフローチャートである。
【符号の説明】
【００８５】
２…第１内気導入口（内気導入口）
３…第２内気導入口（内気導入口）
４…外気導入口
５…第１内外気切替ドア（内外気切替手段）
６…第２内外気切替ドア（内外気切替手段）
７…送風機（送風手段）
１２…蒸発器（冷房用熱交換器）
１３…ヒータコア（暖房用熱交換器）
１５…デフロスタ開口部（吹出口）
１６…デフロスタドア（吹出モード切替手段）
１７…フェイス開口部（吹出口）
１８…フェイスドア（吹出モード切替手段）
２２…フット開口部（吹出口）
２３…フットドア（吹出モード切替手段）
２４…フロントガラス（窓ガラス）
２４ａ…防曇性皮膜
２５…湿度検出装置（湿度検出手段）
２６…曇り検出装置（曇り検出手段）
２７…空調制御装置（空調制御手段）
Ｌ１…第１曇り閾値
Ｌ２…第２曇り閾値
ＲＨ１…第１湿度閾値
ＲＨ２…第２湿度閾値
ＲＨｗ…表面相対湿度
【図１】
0005104572.tif 000002
【図２】
0005104572.tif 000003
【図３】
0005104572.tif 000004
【図４】
0005104572.tif 000005
【図５】
0005104572.tif 000006
【図６】
0005104572.tif 000007